(57)【特許請求の範囲】
【請求項１】
ソーラパネルの屋根上設置設備であって、屋根上に装着されている瓦或いはトタン板等に対して屋根傾斜の下流側から挿入して該瓦或いはトタン板等を挟持する複数の屋根止め金具を備え、該複数の屋根止め金具の隣接する金具間にレールを渡して固着し、該レールに対して複数のソーラパネル支持ポストを立設させ、該ソーラパネル支持ポストにソーラパネル保持枠を取り付け、
前記複数の屋根止め金具は、下側端屋根止め金具と上端部屋根止め金具とからなり、下側端屋根止め金具及び上端部屋根止め金具共に屋根上に装着されている瓦或いはトタン板等に対して屋根傾斜の下流側から挿入して瓦或いはトタン板等を挟持するように構成されたことを特徴とするソーラパネルの屋根上設置設備。
【請求項２】
ソーラパネルの屋根上設置設備であって、屋根上に装着されている瓦或いはトタン板等に対して屋根傾斜の下流側から挿入して該瓦或いはトタン板等を挟持する複数の屋根止め金具を備え、該複数の屋根止め金具の隣接する金具間にレールを渡して固着し、該レールに対して複数のソーラパネル支持ポストを立設させ、該ソーラパネル支持ポストにソーラパネル保持枠を取り付け、
前記複数の屋根止め金具は、下側端屋根止め金具と上端部屋根止め金具とを備え、更に、該下側端屋根止め金具と上端部屋根止め金具の間に配置した中間部屋根止め金具を備えており、下側端屋根止め金具、中間部屋根止め金具及び上端部屋根止め金具共に屋根上に装着されている瓦或いはトタン板等に対して屋根傾斜の下流側から挿入して瓦或いはトタン板等を挟持するように構成されたことを特徴とするソーラパネルの屋根上設置設備。
【請求項３】
ソーラパネルの屋根上設置設備であって、屋根上に装着されている瓦或いはトタン板等に対して屋根傾斜の下流側から挿入して該瓦或いはトタン板等を挟持する複数の屋根止め金具間に、該屋根止め金具に対して略水平方向に固定された複数本の丸棒を挿入することによってレールを渡して固着し、該レールに対して複数のソーラパネル支持ポストを立設させ、該ソーラパネル支持ポストにソーラパネル保持枠を取り付けたことを特徴とするソーラパネルの屋根上設置設備。
【請求項４】
前記ソーラパネル支持ポストの一端部にはアッパー金具が形成され、該アッパー金具によって前記ソーラパネル保持枠が取り付けられ、前記ソーラパネル支持ポストの他端部にはアンダー金具が形成され、該アンダー金具によって前記レールに前記ソーラパネル支持ポストが取り付けられるように構成されたことを特徴とする請求項３記載のソーラパネルの屋根上設置設備。
【請求項５】
前記ソーラパネル支持ポストの一端部のアッパー金具は、開閉する複数の羽根板と固定ナットによって前記ソーラパネル保持枠を挟持して保持するように構成されたことを特徴とする請求項４記載のソーラパネルの屋根上設置設備。
【請求項６】
前記ソーラパネル支持ポストの他端部のアンダー金具は、底部が概略楕円形の台座部によって構成されたことを特徴とする請求項４記載のソーラパネルの屋根上設置設備。
【請求項７】
ソーラパネルを屋根上に設置する設置方法であって、
（ａ）複数の屋根止め金具を屋根上に装着されている瓦或いはトタン板等に対して屋根傾斜の下流側から挿入して該瓦或いはトタン板等を挟持する段階と、
（ｂ）該複数の屋根止め金具の間にレールを渡して固定する段階と、
（ｃ）ソーラパネル保持枠に複数本のソーラパネル支持ポストを挟持して取り付ける段階と、
（ｄ）該複数本のソーラパネル支持ポストを挟持して取り付けたソーラパネル保持枠を前記レールに対して立設して取り付ける段階と、からなり、
前記（ａ）の段階において、複数の屋根止め金具が下側端屋根止め金具、中間部屋根止め金具及び上端部屋根止め金具とからなっており、該下側端屋根止め金具、中間部屋根止め金具及び上端部屋根止め金具共に屋根上に装着されている瓦或いはトタン板等に対して屋根傾斜の下流側から挿入するように構成したことを特徴とするソーラパネルを屋根上に設置する設置方法。
【発明の詳細な説明】
【技術分野】
【０００１】
本発明は、ソーラパネルの屋根上設置設備に関し、特に、瓦やトタン板等の傾斜屋根において、屋根材や野地板を傷つけることのない簡単な構造のソーラパネルの屋根上設置設備に関する。さらに、本発明は簡単な方法により、瓦やトタン板等の屋根において、ソーラパネルを屋根上に設置する設置方法にも関する。
【０００２】
さらに本発明は、本発明の一部の技術を利用することにより、瓦やトタン板等の屋根以外の傾斜屋根においても、また屋上が水平な屋根の建物や、複雑な地表面形状の土地に対しても、ソーラパネルを設置する際に、適用可能な発明の広がりを持っているものである。
【背景技術】
【０００３】
日本では、家庭のエネルギー消費の約３割は給湯に使われているため、太陽の熱を給湯に利用すれば家庭で使われるエネルギーを大きく削減可能なことから、従前は、太陽熱温水器に代表される太陽の熱エネルギーを給湯や、冷暖房に利用する太陽熱利用技術が普及していた。しかし、近年では太陽熱温水器の設置の新規設置件数は減少してきている。
【０００４】
それに対して、近年では、太陽電池を利用し、太陽光のエネルギーを直接的に電力に変換する発電方式が、ソーラ発電とも呼ばれ、需要を急激に伸ばしている。現在では、ソーラパネルが規格品として売り出されるようになってきている。しかしながら、そのソーラパネルを一般家庭用として使用する場合には、一般的には屋根上に取り付けることになることから、その設置設備は構造が複雑で、設置方法も屋根上での困難な作業を必要とするものである。
【０００５】
本発明は、その問題解消のために提案されたものであり、瓦やトタン板等の屋根にソーラパネルを設置する際において、構造が簡単な設置設備の構造、及び、設置作業が容易なソーラパネルの設置方法を提供するものである。
【０００６】
さらに、本発明は更なる広がりとして、ソーラパネルの設置設備としての規格化も可能な構造を提供しようとするものであり、瓦やトタン板等の傾斜屋根に限らず、屋上が水平な屋根の建物や、複雑な地表面形状の土地に対しても適用可能で、且つ、如何なるメーカのソーラパネルであっても設置可能にする設置設備の構造及び設置方法を提供するものである。
【０００７】
従来の屋根の上へのソーラパネルの設置設備及び設置手法としては、（１）屋根の構造そのもの或いは屋根全体に設置設備を取り付けるもの、（２）野地板等にボルト等の固定手段により固定するもの、（３）特殊の瓦等を用いるもの等に分類される。
【０００８】
特開２００１−９０２９１号公報（特許文献１）には、屋根の勾配面に孔を開けたり、そこに葺いた瓦やスレート等の屋根部材に一切傷を付けたりすることなく、しかも高い強度でソーラパネルを屋根上に搭載し保持することを目的とし、ソーラパネル屋根搭載用架台は、棟の両側にある屋根の軒先で屋根構造部材に取り付けられた軒先連結部材と、屋根の勾配に沿って縦に配置されると共に、屋根の一方の軒先側で一方の軒先連結部材に下端が連結され、屋根の棟側で上端連結部材を介して他方の軒先連結部材に上端が連結された縦ラックと、この縦ラックを屋根の上に支持するラック支持部とを有し、その縦ラック上にソーラパネルを取り付ける技術が開示されている。
【０００９】
特表２００２−５２３６５９号公報（特許文献２）には、太陽電池パネルなどのアレイを傾斜した又は平坦な屋根の上にモジュール性の利点を損ねること無く且つ適正なコストで、取り外し可能に正確に実装するための方法及び装置を提供することを目的とし、太陽電池パネルを実装するためのサポート要素は、１つの長細部材と２つの横方向部材とを有し、締め具ストラップを介して屋根に固定され得る。隣接するサポート要素は、係合手段を介して固定並置関係にて接続され、モジュール状の枠組みを形成する。各サポート要素は、パネルを取り外し可能に係合する手段を有している。横方向部材は、長細部材の中心と何れかの端との間の途中に位置しており、サポート要素を様々な長さの千鳥状の列に接続することによって、三角形状又はダイアモンド形状の枠組みをオプション的に形成することができる技術が開示されている。
【００１０】
特開２００９−０９１８１１号公報（特許文献３）には、屋根の勾配方向に沿って間隔をあけて固定される固定ボルトが垂直に固定された固定部材と、固定部材により屋根にその勾配方向に沿って固定されるＣ形鋼からなる縦フレームと、縦フレーム上にこれと直交して固定されるハット形鋼からなる横フレームと、最上段の横フレームと屋根の棟との間に取り付けられる棟カバーとを備え、ソーラパネルは、横フレーム間に取り付けられ、棟カバーの下端部は、最上段の横フレームに通気部材を介して固定される技術が開示されている。
【００１１】
特開２００２−２２７３５３号公報（特許文献４）には、水平面状の固定面と、固定面の先端を上方に突出した立ち上がり面とから形成した固定部材と、垂直平面状の挿入片と、挿入片の途中を両外側方に突出した載置面と、先端を両外側方に突出した係止面とから形成した載置部材と、水平面状のカバー化粧面と、カバー化粧面の両端縁を内側方に突出した下面と、下面とカバー化粧面とから形成した係止溝とから形成した係止兼カバー部材とからなり、外装材の目地部間隙に固定部材の固定面を挿入し、反対の目地部間隙にも他の固定部材の固定面を挿入して固定し、固定部材の係止面に係止兼カバー部材の係止溝を挿入し、パネルを固定部材の載置面と係止面間の空間に挿入し、その後、係止兼カバー部材の下端部のカバー化粧面部分を下方に折り曲げてパネルを固定するパネル取付構造が開示されている。
【００１２】
特開平０６−１４６５１２号公報（特許文献５）には、複数の太陽電池パネルを平面状に並べて固定するソーラ収納フレームと、一端側に冠側固定部及びその他端側に庇側固定部を有する第一縦方向アングル部材と、一端側に冠側固定部を有する第二縦方向アングル部材と、これら第一及び第二の縦方向アングル部材にそれぞれ交差させて連結され、その一端側に母屋側固定部を有する横方向アングル部材と、上記縦方向アングル部材及び／又は横方向アングル部材とソーラ収納フレームとの間を連結し、ソーラ収納フレームを縦方向アングル部材に対して傾斜角度調節可能に支承するソーラ収納フレーム支承部材とからなる架台装置が開示されている。
【００１３】
特開２００３−０８２８２４号公報（特許文献６）には、ソーラパネル等の取付装置は、下部の化粧スレートと上部の化粧スレートとの間に挿入される挿入部と、野地板に固定される固定部と、挿入部の一端から立上がり部を経由して固定部の方向に折り返された支持部とを有し、該支持部は野地板と平行になるように形成され、取付手順としては、化粧スレートが野地板に敷設された後、その上に化粧スレートが重なり代を有して敷設されるが、その列の所定の位置に挿入部が接するように置かれ、ビスによって固定部が野地板に固定され、この後、化粧スレートの列が順次重なり代を有して敷設する技術が開示されている。
【００１４】
特開２００８−３０３５９９号公報（特許文献７）には、ＡＬＣパネルの表面に防水シートが敷設された陸屋根に後付けで物品を支持する支柱を垂直に取り付ける構造であって、物品を支持する支柱は、筒体と、該筒体の外径よりも大きい底板とを有し、該底板の下面に水平調整材となるウレタン材を挟み込んで受け板を接合すると共に、既存の防水シート上に受け板を載置し、筒体の内側から、底板、水平調整材となるウレタン材、受け板、既存の防水シートを貫通してＡＬＣパネルに対してビスを打ち込んで固定した構成が開示されている。
【００１５】
特開平０６−１５８７９２号公報（特許文献８）には、少なくとも２個の瓦本体を屋根水平方向の使用状態になるように一体形成するとともに、瓦本体の表面上の所定位置に上方に向けて延設され屋根上に取り付けられる構造体の取付け部を有した突設部を瓦本体に一体形成した技術が開示されている。
【００１６】
また、非特許文献においても、多くのソーラパネルの設置技術の紹介はされているが、いずれにおいても専門家による本格的な設置工事を必要としている。これらの工事では、特定のメーカ或いは特定のソーラパネルによって設計された特定の設置設備と特定の設置方法が要求される。以下に非特許文献１乃至非特許文献３として開示する。
【先行技術文献】
【特許文献】
【００１７】
【特許文献１】特開２００１−９０２９１号公報
【特許文献２】特表２００２−５２３６５９号公報
【特許文献３】特開２００９−０９１８１１号公報
【特許文献４】特開２００２−２２７３５３号公報
【特許文献５】特開平０６−１４６５１２号公報
【特許文献６】特開２００３−０８２８２４号公報
【特許文献７】特開２００８−３０３５９９号公報
【特許文献８】特開平０６−１５８７９２号公報
【非特許文献】
【００１８】
【非特許文献１】ｈｔｔｐ：／／ｗｗｗ．ｋｙｏｃｅｒａ．ｃｏ．ｊｐ／ｓｏｌａｒ／ｓｅｌｅｃｔ／ｋｏｕｊｉ．ｈｔｍｌ
【非特許文献２】ｈｔｔｐ：／／ｗｗｗ．ｉｓｈｉｎｏ．ｊｐ／ｔａｉｙｏｕ．ｈｔｍｌ
【非特許文献３】ｈｔｔｐ：／／ｗｗｗ．ｅｃ−ｎｅｘｔ．ｎｅｔ／ｓｏｌａｒ．ｈｔｍｌ
【発明の概要】
【発明が解決しようとする課題】
【００１９】
本発明が解決しようとする課題は、瓦或いはトタン板等の傾斜屋根に対して、屋根に載せられた瓦或いはトタン板等及び野地板を傷つけることなく、簡単な構造のソーラパネルの屋根上設置設備を提供すること、及び、専門家による本格的な設置工事を必要としない容易なソーラパネルの屋根上設置方法を提供することである。
【００２０】
さらに、本発明が解決しようとする課題は、どこのメーカの製造によるソーラパネルであっても、又はどのようなサイズのソーラパネルであっても、パネルの裏面に取り付け用の穴が開いていれば設置が可能なソーラパネルの屋根上設置設備を提供することである。勿論、設置用の穴が開いていなければ、設置用の穴を形成すれば設置が可能である。
【課題を解決するための手段】
【００２１】
本発明のソーラパネルの屋根上設置設備は、屋根上に装着されている瓦或いはトタン板等に対して屋根傾斜の下流側から挿入して該瓦或いはトタン板等を挟持する複数の屋根止め金具を備え、該複数の屋根止め金具間にレールを渡し、該レールに対して複数のソーラパネル支持ポストを立設させ、該ソーラパネル支持ポストにソーラパネル保持枠を取り付け、前記複数の屋根止め金具が、下側端屋根止め金具と上端部屋根止め金具とからなり、下側端屋根止め金具及び上端部屋根止め金具共に屋根上に装着されている瓦或いはトタン板等に対して屋根傾斜の下流側から挿入するように構成されたことを特徴とする。
【００２２】
本発明のソーラパネルの屋根上設置設備は、屋根上に装着されている瓦或いはトタン板等に対して屋根傾斜の下流側から挿入して該瓦或いはトタン板等を挟持する複数の屋根止め金具を備え、該複数の屋根止め金具間にレールを渡し、該レールに対して複数のソーラパネル支持ポストを立設させ、該ソーラパネル支持ポストにソーラパネル保持枠を取り付け、前記複数の屋根止め金具が、下側端屋根止め金具と上端部屋根止め金具とを備え、更に、該下側端屋根止め金具と上端部屋根止め金具の間に配置した中間部屋根止め金具を備えており、下側端屋根止め金具、中間部屋根止め金具及び上端部屋根止め金具共に屋根上に装着されている瓦或いはトタン板等に対して屋根傾斜の下流側から挿入するように構成されたことを特徴とする。
【００２３】
本発明のソーラパネルの屋根上設置設備は、屋根上に装着されている瓦或いはトタン板等に対して屋根傾斜の下流側から挿入して該瓦或いはトタン板等を挟持する複数の屋根止め金具間に、該屋根止め金具に対して略水平方向に固定された複数本の丸棒を挿入することによってレールを渡して固着し、該レールに対して複数のソーラパネル支持ポストを立設させ、該ソーラパネル支持ポストにソーラパネル保持枠を取り付けたことを特徴とする。
【００２４】
さらに、本発明のソーラパネルの屋根上設置設備は、前記ソーラパネル支持ポストの一端部にはアッパー金具が形成され、該アッパー金具によって前記ソーラパネル保持枠が取り付けられ、前記ソーラパネル支持ポストの他端部にはアンダー金具が形成され、該アンダー金具によって前記レールに前記ソーラパネル支持ポストが取り付けられるように構成されたことを特徴とする。
【００２５】
さらに、本発明のソーラパネルの屋根上設置設備は、前記ソーラパネル支持ポストの一端部のアッパー金具が、開閉する複数の羽根板と固定ナットによって前記ソーラパネル保持枠を挟持して保持するように構成されたことを特徴とする。
【００２６】
さらに、本発明のソーラパネルの屋根上設置設備は、前記ソーラパネル支持ポストの他端部のアンダー金具が、底部が概略楕円形の台座部によって構成されたことを特徴とする。
【００２７】
本発明のソーラパネルを屋根上に設置する設置方法は、
（ａ）複数の屋根止め金具を屋根上に装着されている瓦或いはトタン板等に対して屋根傾斜の下流側から挿入して該瓦或いはトタン板等を挟持する段階と、
（ｂ）該複数の屋根止め金具の間にレールを渡して固定する段階と、
（ｃ）ソーラパネル保持枠に複数本のソーラパネル支持ポストを挟持して取り付ける段階と、
（ｄ）該複数本のソーラパネル支持ポストを挟持して取り付けたソーラパネル保持枠を前記レールに対して立設して取り付ける段階と、からなり、
前記（ａ）の段階において、複数の屋根止め金具が下側端屋根止め金具、中間部屋根止め金具及び上端部屋根止め金具とからなっており、該下側端屋根止め金具、中間部屋根止め金具及び上端部屋根止め金具共に屋根上に装着されている瓦或いはトタン板等に対して屋根傾斜の下流側から挿入するように構成したことを特徴とする。
【発明の効果】
【００２８】
本発明は、屋根上に装着されている瓦或いはトタン板等に対して屋根の傾斜の下流側から挿入して該瓦或いはトタン板等を挟持する複数の屋根止め金具を用いるものであるために、瓦或いはトタン板等及び野地板を傷つけることなく、極めて構造が簡単で、且つ簡便な手法によりソーラパネルを屋根上に設置することが可能なものである。
【００２９】
さらに本発明は、下側端屋根止め金具と上端部屋根止め金具とを備え、更に、該下側端屋根止め金具と上端部屋根止め金具の間に中間部屋根止め金具を備えることを可能にしたことにより、必要に応じて必要数の中間部屋根止め金具を追加するだけで、屋根上に設置するソーラパネルの枚数に応じたソーラパネルの屋根上設置設備及び設置方法が提供できるものである。
【００３０】
さらに本発明は、レールを隣接する屋根止め金具の間に渡して固着し、そのレールに対して複数のソーラパネル支持ポストを立設させて、その複数のソーラパネル支持ポストによりソーラパネル保持枠を取り付けるようにしたために、何れのメーカのソーラパネルであってもその取り付け位置に応じた位置に対応してソーラパネル支持ポストを配置することができるので、極めて汎用性の高いソーラパネルの屋根上設置設備及び設置方法が提供できるものである。
【００３１】
さらに本発明は、ソーラパネル支持ポストの一端部のアッパー金具が、開閉する複数の羽根板と固定ナットによってソーラパネル保持枠を挟持して保持するように構成していることから、ソーラパネル支持ポストに対するソーラパネル支持ポストの装着作業が極めて簡便なものである。
【００３２】
さらに本発明は、レール及びソーラパネル支持ポストを規格化することによって、より汎用性の高いソーラパネルの屋根上設置設備及び設置方法が提供できるものである。
【図面の簡単な説明】
【００３３】
【図１】本発明の実施例であるソーラパネルの屋根上設置設備の全体構成を示す分解斜視図である。
【図２】本発明の実施例であるソーラパネルの屋根上設置設備に用いる下端部屋根止め金具の構成を示す斜視図であり、（Ａ）は前方斜視図、（Ｂ）は後方斜視図である。
【図３】（Ａ）は下端部屋根止め金具の構造を示す側面図であり、（Ｂ）はその背面図である。
【図４】本発明の実施例の部屋根止め金具に用いられる開閉機構を駆動する構成の一実施例を示す図であり、（Ａ）は全体構成断面図であり、（Ｂ）は（Ａ）のＢ−Ｂ断面図であり、（Ｃ）は（Ｂ）のＣ−Ｃ断面図である。
【図５】本発明の実施例の部屋根止め金具に用いられる開閉機構を駆動する別の実施例の構成を示す一部を断面した側面図である。
【図６】（Ａ）は、本発明の実施例であるソーラパネルの屋根上設置設備に用いる中間部屋根止め金具の構成を示す前方斜視図であり、（Ｂ）は上端部屋根止め金具の構成を示す前方斜視図である。
【図７】本発明の実施例であるソーラパネルの屋根上設置設備に用いるレールの構成を示す斜視図である。
【図８】（Ａ）は、本発明の実施例であるソーラパネルの屋根上設置設備に用いるソーラパネル保持枠の裏面の構成を示す外観斜視図であり、（Ｂ）は（Ａ）のＢ−Ｂ断面図である。
【図９】（Ａ）は、本発明の実施例であるソーラパネルの屋根上設置設備に用いるソーラパネル支持ポストの全体構成を示す外観斜視図であり、（Ｂ）は、台座部の詳細形状である。
【図１０】（Ａ）は、本発明の実施例であるソーラパネル支持ポストをソーラパネル保持枠へ挿入したときのアッパー金具の構成を示す一部断面図であり、（Ｂ）は、（Ａ）の矢印Ｂ方向から見た要部の底面図である。
【図１１】（Ａ）は、本発明の実施例であるソーラパネル支持ポストをソーラパネル保持枠に挟持したときのアッパー金具の構成を示す一部断面図であり、（Ｂ）は、（Ａ）の矢印Ｂ方向から見た要部の底面図である。
【図１２】（Ａ）（Ｂ）（Ｃ）は、本発明の実施例であるアッパー金具の羽根板の開閉状態を示す図である。
【図１３】本発明の実施例のソーラパネル支持ポストの構成を示し、アッパー金具によってソーラパネル保持枠を挟持し、且つ、アンダー金具によってレールに対して立設した状態を示した断面図である。
【図１４】本発明の実施例であるソーラパネル支持ポストのアンダー金具部をレールに対して固着する作業を説明する一部断面斜視図である。
【図１５】本発明の適用範囲を広げた場合のソーラパネルの設置設備の具体例の全体構成を示す分解斜視図である。
【図１６】本発明のソーラパネルの屋根上設置設備を瓦棒葺きのトタン屋根に適用した際の応用例を示す図である。
【図１７】図１６に示した瓦棒部に対する受けレールの固定手段を示す詳細図である。
【発明を実施するための形態】
【００３４】
以下、図面を用いて本発明の実施例について説明する。ただし、以下に説明する実施例の具体的構成は、本発明の外延を限定するものではなく、その構成を発明とする技術的思想の範囲内のものであれば、その具体的実現手段は、当業者であれば容易に変更することができるものであり、当然のこと、本発明はそれを含み得るものである。
【００３５】
図１は、本発明の実施例であるソーラパネル設置設備の全体構成を示す分解斜視図である。図１中の１０Ａ，１０Ｂ，１０Ｃは、瓦やトタン板等の傾斜屋根に対して用いられる夫々３種類の屋根止め金具であり、１０Ａは下側端屋根止め金具、１０Ｂは中間部屋根止め金具、１０Ｃは上端部屋根止め金具である。図１中の３０は、各屋根止め金具１０Ａ，１０Ｂ，１０Ｃに各々装着される受けレールである。図１中の５０はソーラパネル支持ポストであり、その下部は受けレール３０，３０に対してアンダー金具６１（詳細後述）によって立設して固定され、上部はアッパー金具５１（詳細後述）によってソーラパネル７０，７０を挟持して取り付け固定される。
【００３６】
本発明においては、図１に示すように、１列に複数枚のソーラパネル７０の設置に対して、２列（右列及び左列）の各屋根止め金具１０Ａ，１０Ｂ，１０Ｃ、２列のレール３０，３０，３０，３０、２列のソーラパネル支持ポスト５０，５０・・・が用いられている。なお、図１においては、１枚のソーラパネル７０に対して４本のソーラパネル支持ポスト５０，５０・・・が用いられているが、これは図示の簡単化のためであり、実際はソーラパネル７０の裏面に形成された、或いは本発明を実施するために形成した、所定数の固定用穴の数に対応した本数が用いられる。図１中で、ａ乃至ｈは各ソーラパネル支持ポスト５０，５０・・・に対して付されており、各ソーラパネル支持ポスト５０，５０は、各ソーラパネル７０，７０のａ乃至ｈの位置（ｆ及びｈの位置は見えていない）において該ソーラパネル７０，７０を挟持して保持する。
【００３７】
前述のとおり、この屋根止め金具１０は、３種類のタイプが存在する。つまり、下側端屋根止め金具１０Ａ，中間部屋根止め金具１０Ｂ及び上端部屋根止め金具１０Ｃの３種類である。これらは、その名称のとおり、瓦屋根或いはトタン屋根からなる傾斜屋根の上にソーラパネル７０，７０・・・を長手方向に複数枚を１列に並べて設置する際に、一番下側に配置する屋根止め金具の対が下側端屋根止め金具１０Ａであり、一番上側に配置する屋根止め金具の対が上端部屋根止め金具１０Ｃであり、その中間には対の中間部屋根止め金具１０Ｂが配置される。つまり、図１には、２枚のソーラパネル７０，７０を長手方向に設置した状態が図示されている。これに対してソーラパネル７０が一枚ずつ増えていけば、中間部屋根止め金具１０Ｂ，１０Ｂの対が１対ずつ増やせば良いことになる。
【００３８】
この屋根止め金具１０の特徴は、瓦屋根或いはトタン屋根からなる傾斜屋根の上の瓦或いはトタン板を挟んで保持するための、大きな鰐口形の一対の挟持バインダ１１，１１構成を備えることである。この挟持バインダ１１は、上側顎板１２と下側顎板１３とにより構成され、各上下顎板１２，１３の前方（図３（Ａ）の左方向）には、夫々、凹凸歯形を備えた上下噛み合い部１５，１６が形成されている。なお、本発明は、歯形の形状に発明が限定されるものでなく、瓦或いはトタン板を強固に挟むことができれば良い。また、この上下噛み合い部１５，１６は、瓦やトタン板等を挟むものであるので、図示を省略したが、対抗面（噛み合い面）を生ゴムや合成ゴム等で被覆しても良い。この上下顎板１２，１３は、瓦やトタン板等を挟む動作を可能にするために、枢支部１４によって枢軸支承されており、上側顎板１２が枢支部１４の廻りに回動自在に構成されている。下側顎板１３は屋根の上に不動状態で取り付けられる。
【００３９】
各上下顎板１２，１３の後方（図３（Ａ）の右端側）近傍には、不動状態の下側顎板１３に対する上側顎板１２の挟みつけ運動の駆動力を伝達するための開閉運動機構が設けられている。
【００４０】
各屋根止め金具１０は、その構造体として門形の枠体１９が直立して構成されており、下側顎板１３はその底面を構成し、全体としては強固なフレーム構造を呈している。下側顎板１３は、門形枠体１９の底面を構成すると共に、一対の挟持バインダ１１，１１の底面部を構成している。これにより、構造的に強固な屋根止め金具１０が構成されている。図示の実施例では１枚の下側顎板１３からなっているが、門形の枠体１９としての強度が確保できるのであれば、これに限らず、一対の挟持バインダ１１，１１に対して別々の下側顎板１３，１３を構成しても良い。
【００４１】
門形枠体１９の後方（図３（Ａ）の右端側）には張出し板２１が強固に取り付けられており、その張り出し板２１には、挟持バインダ１１，１１の開閉力を発生させる開閉ボルト機構２２，２２が設けられている。この開閉ボルト機構２２による開閉力発生機構は、開閉機構を回転に限らず、所定の操作をすることにより、挟持バインダ１１，１１に開閉力を発生させれば良いものであるが、その一実施例を図４に示す。前述のとおり、下側顎板１３は、門形の枠体１９に対して強固に固着されており、不動状態を維持している。
【００４２】
本発明のソーラパネルの屋根上設置設備においては、下側顎板１３を、瓦或いはトタン板等の下に潜り込ませて屋根上に設置されるものであり、下側顎板１３が当該設置設備にとっては基礎となるものである。門形枠体１９の後方には張出し板２１が不動状態で張り出しており、これも強度を維持している。この門形枠体１９に不動状態に固定された下側顎板１３と張出し板２１との間に、開閉ボルト２３が回動自在に設けられている。開閉ボルト２３は、頂部は六角ボルト頭部を備えて張出し板２１に対して回転自在に取り付けられ、尻部は下側顎板１３に対して回転自在に取り付けられている。いずれもねじ込まれてはおらず、頂部の六角ボルト頭部をレンチ等で回転させれば、開閉ボルト２３は張出し板２１及び下側顎板１３に対して自由に回転可能に構成されている。
【００４３】
開閉ボルト２３の回転により、上側顎板１２が下側顎板１３に対して開閉動作をする構成を図４により説明する。上側顎板１２の上噛み合い部１５と反対側の端部近傍には貫通穴２４が形成されており、その貫通穴２４を通して開閉ボルト２３が貫通している。開閉ボルト２３には、その上側顎板１２の貫通穴２４の近傍に渡ってネジ部が形成されており、そのネジ部には駒部材２５がねじ込まれており、駒部材２５によって開閉ボルト２３の回転を駒部材２５の軸線方向の駆動力に変換している。駒部材２５は貫通穴２４内で、開閉ボルト２３の回転によっても回転しないように支持されており、横方向（上側顎板１２の短手方向）には、摺動ピン２６，２６が張り出して形成されている。さらに、上側顎板１２に形成された貫通穴２４は側部に摺動案内溝２７，２７が形成されており、駒部材２５の摺動ピン２６，２６を受け入れている。駒部材２５と下側顎板１３との間には、バネ２８が設けられており、常に、駒部材２５を持ち上げる方向に力を加えて、意図しない開閉ボルト２３の回転による緩みを防止している。
【００４４】
以上の構成により、開閉ボルト２３の六角ボルト頭部をレンチ等で回転させれば、開閉ボルト２３全体は回転する。すると、開閉ボルト２３に対して捩じ込まれている駒部材２５は回転できないために上下に運動しようとする。それにより上側顎板１２の後端部が持ち上げられる。その際、摺動ピン２６，２６は摺動案内溝２７，２７内を摺動して上側顎板１２は枢支部１４の廻りに回動して瓦或いはトタン板等の挟持を達成する。このような開閉ボルト機構２２によって、開閉ボルト２３は、回転するだけで揺動運動を起こすことがなく、上側顎板１２のみを回動させることができる。このように回転運動を直線運動に変換する機構そのものは既に周知・慣用の技術の応用である。
【００４５】
開閉ボルト機構２２による挟持バインダ１１，１１の開閉機構の別実施例を図５に示す。この別実施例においては、上側顎板１２と下側顎板１３とは、図４の実施例の構成と実質的に同一構成である。ただし、開閉ボルト２３は、下側顎板１３まで至っていない。上側顎板１２の後端部近傍（図５の右側）には貫通孔３６が形成され、その貫通孔３６の両側部には溝部３７，３７が形成されている。また、開閉ボルト２３の終端部近傍には一対の支持ピン３５，３５が設けられており、夫々の支持ピン３５，３５が対応した溝部３７，３７に挿入され支持されている。開閉ボルト２３の上端部近傍にはネジ部が形成されており、張り出し板２１に形成された開口２９に対して貫通している。この実施例では、開閉ボルト２３は回転しない。しかし、開閉ボルト２３の上端部近傍のネジ部には駆動ナット３８が螺合されており、開閉ボルト２３に対して駆動ナット３８を回転することにより、駆動ナット３８の位置は上下し、バネ２８のバネ力により開閉ボルト２３に上下運動を生起する。つまり、駆動ナット３８が下降すれば開閉ボルト２３はバネ２８の反発力により上昇運動を生起され、上側顎板１２の後端部が持ち上げられて、枢支点を中心に回動運動して瓦或いはトタン板を強固に挟持する。
【００４６】
屋根止め金具１０の上方には、ソーラパネルを設置するレール３０を取り付けるために、門形枠体１９に３本の丸棒１７，１７，１７が突設されている。本実施例においては３本の丸棒を設けたが、この本数は自由に変更が可能なものである。そして、この丸棒１７の配置は、各屋根止め金具の種類によって相違している。つまり、下側端屋根止め金具１０Ａにおいては、図２に示すように、挟持バインダ１１の上下顎板１２，１３の開口方向に向かって突設されている。そして、中間部屋根止め金具１０Ｂの場合は、図６（Ａ）に示すように、挟持バインダ１１の上下顎板１２，１３の開口方向に沿って両方に突設されている。そして、上端部屋根止め金具１０Ｃの場合は、図６（Ｂ）に示すように、挟持バインダ１１の上下顎板１２，１３の開口方向に向かって反対方向に突設されている。このような３種類の屋根止め金具１０の構成により、複数のソーラパネル７０を１列状に設置する際に、瓦或いはトタン板等を屋根の傾斜に沿って常に下流側から上下顎板１２，１３を挿入・挟持可能とされる。
【００４７】
レール３０の詳細構成は図７に示す。レール３０は、１枚の板の両側縁部を長手方向に折り曲げて立ち上がり部３４，３４を形成し、それに屋根止め金具１０の内の両端部の丸棒１７，１７を受け入れる受け筒部３１，３１を形成している。また、底面中央部付近にも丸棒１７を受け入れる受け筒部３２を形成している。レール３０の両立ち上がり部３４，３４の下方内側部、及びレール３０の底面中央部の筒部３２に沿ったレール内側部には、連続した山谷のノコギリ状部３３，３３，３３が形成されている。このノコギリ状部３３の機能は、後述のアンダー金具６１との関係で説明する。レール３０の長さは、ソーラパネル保持枠７１の長さ寸法に応じて決めるのが望ましく、５．４ｍ，３．６ｍ，１．８ｍ，０．９ｍ，０．４５ｍの５種類の規格品として作られる。
【００４８】
ソーラパネルを保持するソーラパネル保持枠７１の裏面外観を図８に示す。ソーラパネル保持枠７１は、その表面に大きく開いたソーラパネル開口部７２を有し、リブ７４によって、ソーラ発電モジュール（図８には図示なし）を固定する。ソーラパネル保持枠７１の裏面には、ソーラパネル取り付け用の取付け開孔７３，７３・・・が形成されている。この取付け開孔７３の数と間隔はソーラパネルのメーカや型番によっても相違する。図７の実施例では片側に４個の取付け開孔７３，７３・・・が形成されたものを図示している。しかしながら、これらの数は発明を限定するものではない。
【００４９】
次に、ソーラパネル支持ポスト５０の詳細構造を図９乃至図１４を用いて説明する。ソーラパネル支持ポスト５０の全体構成は図９及び図１３に示している。ソーラパネル支持ポスト５０は、全体的には直立したボルト５２から成り、上部にはアッパー金具５１部を形成し、下部にはアンダー金具６１部を形成している。このアッパー金具５１は、ソーラパネル保持枠７１の取付け開孔７３に装着されてソーラパネル保持枠７１を挟持し、アンダー金具６１は、受けレール３０に立設されて固定装着される。
【００５０】
まず、ソーラパネル支持ポスト５０のアッパー金具５１の構成を説明する。アッパー金具５１は、更に図１０及び図１１でその詳細な構成を示している。このアッパー金具５１の構成は、ソーラパネル支持ポスト５０をソーラパネル保持枠７１の取付け開孔７３の外側からアッパー金具５１を挿入して取り付け作業を可能にする構成を提供するものである。アッパー金具５１は、ボルト５２の頭部近傍に開閉可能な４枚の羽根板５４，５４，５４，５４を設けている。羽根板５４の枚数は、４枚に限る必要はなく、２枚でも３枚でも、それ以上でも良い。各羽根板５４は、各々枢軸５６によって取り付け板５７に対して回転自在に取り付けられて開閉運動を可能としている。また、４枚の羽根板５４，５４，５４，５４の開閉運動を達成するために、それらの中央部には、略４角形の回動カム５３が枢軸５８よって取り付け板５７に対して回転自在に取り付けられている。回動カム５３は、図１０（Ａ）で見える頭部分が、図１０（Ｂ）の点線で示す４角部分であり、図１０（Ｂ）の実線部分よりも大きい。なお、図１０（Ｂ）の実線で示す４角部分と図１０（Ｂ）の点線で示す４角部分は、一体的な部材として形成されており、図１０（Ａ）で見える頭部分（図１０（Ｂ）の点線で示す４角部分に対応）を矢印の方向に回動させると、図１０（Ｂ）の点線で示す４角部分も一緒に回動し、４枚の羽根板５４，５４，５４，５４に対してカムとして動作し、開く方向に回動される（図１１）。
【００５１】
図１２によって、この４枚の羽根板５４，５４，５４，５４が開閉される機構を説明する。図１２（Ａ）は、略４角形の回動カム５３を少しの角度回転させた状態を示している。図１２（Ｂ）は、回動カム５３の回転を小回転（点線にて表示）させた場合と、最大回転（一点差線表示）させた場合とを示している。図１２（Ｃ）は、回動カム５３の左右の回転により、４枚の羽根板５４，５４，５４，５４の開閉動作を達成するために、回動カム５３側の隅部近傍にボール上の案内片６６を設け、羽根板５４側にはその案内片６６を受け入れて案内するガイド溝６７を形成している。案内片６６を回動カム５３側の隅部近傍に設ける理由は、回動カム５３が回転しだすと、回動カム５３の先行部分が、一旦、羽根板５４の面と離れ、その後、最大回転（図１２（Ｂ）の一点差線表示）に至ると回動カム５３面と羽根板５４面とが全体的に接触してそれ以上の回転はできなくなる。このような運動をするが故に、案内片６６は回動カム５３側の隅部近傍に設けるのが良い。また、案内片６６とガイド溝６７によらず、図示はしないが、羽根板５４を常に閉じる方向に励起するコイルバネを枢軸５６の周りに設けても良い。
【００５２】
このようなアッパー金具５１の構成により、４枚の羽根板５４，５４，５４，５４が閉じられた状態では、アッパー金具５１全体の外形寸法がソーラパネル保持枠７１の取付け開孔７３の孔寸法よりも小さく形成されているので、ソーラパネル支持ポスト５０は、上部のアッパー金具５１をソーラパネル保持枠７１の外側から挿入することが可能である（図１０）。この状態で、ソーラパネル保持枠７１の上から（図８（Ａ）の上方より）手を入れて、アッパー金具５１の回動カム５３の頭の部分（図１０（Ａ）で見える部分）を回動させる。すると、４枚の羽根板５４，５４，５４，５４に囲まれている回動カム部分（図１０（Ｂ）の実線の４角部分）が一体的に回動して、閉じられていた４枚の羽根板５４，５４，５４，５４を開いて、図１１の状態にする。この状態で固定ナット５５をボルト５２の廻りに回転させることにより、ソーラパネル保持枠７１を、開いた状態の４枚の羽根板５４，５４，５４，５４と固定ナット５５によって挟持して強固に保持できる。これにより、ソーラパネル支持ポスト５０をソーラパネル保持枠７１に取り付けることができる。
【００５３】
次いで、ソーラパネル支持ポスト５０のアンダー金具６１によって、レール３０へ立設して取り付ける構成及び作業を説明する。図１３に示すように、アンダー金具６１は、底部が概略楕円形の台座部６２により形成され、その台座部６２にはボルト５２がねじ込まれている。ボルト５２を台座部６２にねじ込む際には、ボルト５２の下端部が台座部６２底面から僅かながら突出する状態にしておく。アッパー金具５１の固定ナット５５とアンダー金具６１の台座部６２の間には、両者を離れる方向に力を加えているバネ６８を備えて、ゆるみの防止を期している。この台座部６２の詳細形状は、図９（Ｂ）に示すとおりに変形楕円形状をしている。つまり、台座部６２のＲ１とＲ２を比較すると、Ｒ１よりもＲ２が曲率半径が大きい。そのために、図１３に示すように、アンダー金具６１の台座部６２をレール３０内で回転させながら噛み合わせて固定する場合に、アンダー金具６１を回転させる際に小さな力でかみ合わせることが可能となる。
【００５４】
図１４は、アンダー金具６１により、ソーラパネル支持ポスト５０をレール３０への取り付ける作業手順を示している。ソーラパネル保持枠７１にソーラパネル支持ポスト５０を挟持して取り付けた状態において（図１４においては、ソーラパネル保持枠７１を図示していない）、ソーラパネル保持枠７１を上にして、アンダー金具６１の台座部６２をレール３０上に置く（この状態のレール３０は、各屋根止め金具１０に装着された状態であるが、図１４においては図の簡略化のために図示されていない）。この際には、レール３０の横方向の内法と台座部６２の長円部の外法とを実質的に同じ寸法にしてあるので、台座部６２を少し斜めにして入れることになる。その際、台座部６２の底面からはボルト５２の下端部が僅かだけ突出しているので、その突出したボルト５２の下端先端部がレール３０の中央部に形成された山谷のノコギリ状部３３に乗り上げた状態となり、一時的にソーラパネル支持ポスト５０の位置が固定される。このようにして、各屋根止め金具１０に装着された状態にあるレール３０の上にソーラパネル保持枠７１を取り付けた状態のソーラパネル支持ポスト５０のアンダー金具６１の台座部６２をレール３０上の定位置に置く。
【００５５】
ここで、レール３０の両縁に形成された受け筒部３１より下方のスペースＳは、台座部６２の板厚より若干大きく形成されている。そこで、レール３０上に少し斜めに置いてあるアンダー金具６１の台座部６２を、図１４の矢印方向に回転させて、台座部６２の長円部をレール３０の受け筒部３１の下のスペースＳに挿入し、同時に台座部６２の長円端部に形成してある歯形部６３，６３をレール３０の両側部に形成された山谷のノコギリ状部３３，３３に咬み込ませる。
【００５６】
その後、台座部６２の短円方向に設けた補強リブの途中に設けた固定ネジ６４をプラスドライバーにより回転させて下に押し込み、固定ネジ６４の先端部をレール３０の底面中央部付近に形成した受け筒部３２に沿って形成された山谷のノコギリ状部３３にかみ合わせると同時に、固定ネジ６４の先端部の台座部６２の底面より少し突出させて、台座部６２をレール３０内で僅かに持ち上げて、台座部６２をレール３０に対して強固に固定する。
これにより屋根上にソーラパネルの取り付けが完了する。
【００５７】
以下、本発明のソーラパネル屋根上設置設備を用いて、ソーラパネルを瓦或いはトタン板等の傾斜屋根の上に設置する方法をまとめて説明すると、前述のとおり、以下の（ａ）乃至（ｄ）の段階からなる。
（ａ）複数の屋根止め金具を屋根上に装着されている瓦或いはトタン板等に対して屋根傾斜の下流側から挿入して該瓦或いはトタン板等を挟持する段階
（ｂ）複数の屋根止め金具の間にレールを渡して固定する段階
（ｃ）ソーラパネル保持枠に複数本のソーラパネル支持ポストを挟持して取り付ける段階
（ｄ）複数本のソーラパネル支持ポストを挟持して取り付けたソーラパネル保持枠を前記レールに対して立設して取り付ける段階
【００５８】
まず、第１段階としての複数の屋根止め金具を屋根上に装着されている瓦或いはトタン板等に対して屋根傾斜の下流側から挿入して該瓦或いはトタン板等を挟持する段階を説明する。
【００５９】
ソーラパネルのサイズ及び設置枚数等に応じて、下側端屋根止め金具１０Ａ，１０Ａ、上端部屋根止め金具１０Ｃ，１０Ｃ及び中間部屋根止め金具１０Ｂ，１０Ｂの設置位置を決定し、夫々の屋根止め金具１０Ａ，１０Ｂ，１０Ｃを瓦或いはトタン板等に挟みつける。その際には、瓦或いはトタン板等の下側に下側顎板１３の下噛み合い部１５をしっかりと潜り込ませる。次いで、開閉ボルト２３頂部の六角ボルト頭部をスパナ等で回転させて、それにねじ込まれている駒部材２５を上方に引き上げ動作をする。駒部材２５が引き上げられると、上側顎板１２が枢支部１４の廻りに回動する。すると、駒部材２５両端の摺動ピン２６，２６は摺動案内溝２７，２７内をガイドされて摺動して、上側顎板１２の回動を可能にする。これにより、上下噛み合い部１５，１６は瓦或いはトタン板等を強固に挟みつける。この際、バネ２８は駒部材２５のゆるみ防止の方向に力を加えている。
【００６０】
次に、第２段階としての複数の屋根止め金具１０Ａ，１０Ｃ，１０Ｂの間にレール３０を渡して固定する段階を説明する。
【００６１】
第１段階として、屋根の上に、下側端屋根止め金具１０Ａ，１０Ａ、上端部屋根止め金具１０Ｃ，１０Ｃ及び中間部屋根止め金具１０Ｂ，１０Ｂが強固に設置されたら、各屋根止め金具１０Ａ，１０Ｂ及び１０Ｃの３本の丸棒１７，１７，１７をレール３０の受け筒部３１及び３２に挿入する。この場合、受け筒部３１及び３２は、丸棒１７を挿入することも取り外すことも可能であるために、設置現場における臨機応変な作業が可能なものである。
【００６２】
次に、第３段階としてのソーラパネル保持枠７１に複数本のソーラパネル支持ポスト５０を取り付ける段階を説明する。
【００６３】
まず、ソーラパネルを装着したソーラパネル保持枠７１を上下反転して、ソーラパネル保持枠７１の取付け開孔７３に対して、ソーラパネル支持ポスト５０のアッパー金具５１の頭部を挿入する。その際、アッパー金具５１の頭部に設けられた４枚の羽根板５４，５４，５４，５４は閉じており、アッパー金具５１の頭部が取付け開孔７３をスムーズに貫通することができる。その後、回動カム５３を回転させて４枚の羽根板５４，５４，５４，５４を広げる。その後に、固定ナット５５を回転させて、４枚の羽根板５４，５４，５４，５４と固定ナット５５との間にソーラパネル保持枠７１を挟持する。これにより、ソーラパネル支持ポスト５０のアッパー金具５１をソーラパネル保持枠７１に対して強固に取り付けることができる。
【００６４】
次に、第４段階としての複数本のソーラパネル支持ポスト５０を取り付けたソーラパネル保持枠７１を前記レール３０に対して取り付けて立設する段階を説明する。
【００６５】
複数の屋根止め金具１０Ａ，１０Ｃ，１０Ｂによって支持されたレール３０に対して、複数のソーラパネル支持ポスト５０を立設させたソーラパネル保持枠７１を定位置に載せる。その際は、アンダー金具６１の略楕円形の台座部６２が傾斜した状態で挿入を容易にしている（図１４）。その際は、台座部６２の底面から少し突出しているボルト５２の下端部がレール３０の中央部に形成された山谷のノコギリ状部３３に乗せられる。その後に、台座部６２を回転させて、台座部６２の長円端部に形成してある歯形部６３，６３をレール３０の両側部に形成された山谷のノコギリ状部３３，３３に咬み込ませて強固に固定させると同時に、ボルト５２の下端部は、レール３０中央部の山谷のノコギリ状部３３，３３に咬み込まれる。
【００６６】
最後に、プラスドライバーにより固定ネジ６４を回転させて、その先端部の台座部６２の底面より少し突出させて、台座部６２をレール３０内で僅かに持ち上げて、台座部６２をレール３０に対して強固に固定する。その後、各部の締め付けを強固にし、以上により屋根上にソーラパネルの取り付けが完了する。
【００６７】
本発明は、特に、瓦或いはトタン板等の傾斜屋根に対して格別の作用効果を奏するものであることは以上に説明のとおりであるが、本発明の広がりは瓦或いはトタン板等の傾斜屋根に対してのみに限定されるものではない。瓦或いはトタン板等の傾斜屋根に限定される理由は、瓦或いはトタン板等に傷をつけないために、屋根の傾斜の下流側から挿入して瓦或いはトタン板等を挟持する複数の屋根止め金具を用いることを特徴としているからである。
【００６８】
しかしながら、ソーラパネルの設置という観点から本発明の屋根上設置設備及び設置方法を検証すれば、設置面に本発明の実施例であるレールを並べて設置できれば、他への適用が可能である。つまり、屋根止め金具が無くとも、レールに対して複数のソーラパネル支持ポストを立設させて、その複数のソーラパネル支持ポストによってソーラパネル保持枠を取り付けるようにすれば、どのような設置場所であっても、何れのメーカのソーラパネルであっても取り付けは可能なものであり、極めて汎用性の高いソーラパネルの設置設備及び設置方法が提供できるものである。
【００６９】
そして、レールの幅や長さを規格化し、ソーラパネル支持ポストの台座部の楕円形状の大きさも規格化すれば、規格化されたソーラパネルの設置設備及び設置方法が提供できるものである。
【００７０】
このような考え方から、本発明を広範な用途に適用するための具体例を図１５に示す。図１５は、本発明を瓦屋根或いはトタン板屋根等の傾斜屋根にソーラパネルを設置するソーラパネル設置設備の実施例と同様のものであり、水平面の屋上面であっても、複雑な地形であっても適応可能なソーラパネル設置設備の具体例の構成を示す分解斜視図である。なお、図１と同一機能の部材は、図１５においても同一符号を付けて図示している。
【００７１】
図１５に示す具体例において図１の実施例との相違点は、傾斜屋根の上に設ける下側端屋根止め金具１０Ａ、中間部屋根止め金具１０Ｂ、及び上端部屋根止め金具１０Ｃの各屋根止め金具１０がないことである。その他は、両者は実質的に同一の構成を備えている。ただし、レール３０に対しては、台座部６２が挿入固定できるスペースＳを備えておく必要はある。
【００７２】
図１５中のソーラパネル支持ポスト５０は、下部は受けレール３０，３０に対してアンダー金具６１によって立設して固定され、上部はアッパー金具５１によってソーラパネル７０，７０を挟持して取り付け固定される。ソーラパネル支持ポスト５０は、その高さを複数種類準備しておけば、適当な高さのソーラパネル支持ポスト５０を選択することにより、レール設置面に対してソーラパネルを適当な傾斜角度に設置することも可能である。この具体的においては、図１に示すと同様に、１枚のソーラパネル７０の設置に対して、２列のレール３０，３０，３０，３０、２列のソーラパネル支持ポスト５０，５０・・・が用いられている。
【００７３】
図１６は、本発明のソーラパネルの屋根上設置設備を瓦棒葺きのトタン屋根９０に適用した際の応用例を示したものであり、瓦棒葺きトタン屋根９０に形成された瓦棒部９５に対して、受けレール３０，３０・・・を横方向に固定できるように構成したものである。瓦棒部９５に対する受けレール３０の固定手段は、図１７において詳細に示されており、受けレール３０の底面に、瓦棒葺きの働き巾（瓦棒部の間隔）に概略合わせて、Ｌ型の係止部材９１，９１が取り付けられており、そのＬ型係止部材９１に対して進退自在にボルト９２が螺合されている。この進退自在のボルト９２の先端部（瓦棒部９５に当接する部分）は、瓦棒部９５を傷つけないように平板部９３を形成している。これにより、受けレール３０を瓦棒部９５，９５の上に置いて、進退自在ボルト９２，９２・・・を進退させて瓦棒部９５，９５を挟み込み強固に受けレール３０を固定できるものである。
【００７４】
さらに、図示はしないが、瓦棒葺きトタン屋根９０の瓦棒部９５，９５・・・を用いて屋根全体に、瓦棒部９５，９５・・・と直角に通しの（或いは数本に分割した）アングル部材を取り付けて（瓦棒葺きトタン屋根９０に対するアングル部材の取り付け方法は当業者において容易に成し得るものである）、そのアングル部材を屋根止め金具１０，１０・・・により挟み込んでソーラパネルの屋根上設置設備とすることも可能である。
【００７５】
以上の実施例の図面においては、設置工具としてプラスドライバーや六角レンチを用いるように図示されているが、ネジの頭に＋溝を形成することにより、プラスドライバーのみで設置作業が実施できるよう構成にすることは当業者にとって容易に成し得る程度のものである（図示はしない）。
【００７６】
さらに本発明の適用の広がりを検証すれば、ソーラパネル支持ポスト５０のアッパー金具５１のみ、或いはアンダー金具６１のみの構成においても発明が存在するものである。
【符号の説明】
【００７７】
１０  屋根止め金具
１０Ａ  下側端屋根止め金具
１０Ｂ  中間部屋根止め金具
１０Ｃ  上端部屋根止め金具
３０  レール
５０  ソーラパネル支持ポスト
５１  アッパー金具
５４  羽根板
５５  固定ナット
６１  アンダー金具
６２  台座部
７１  ソーラパネル保持枠
【図１】
0005469442.tif 000002
【図２】
0005469442.tif 000003
【図３】
0005469442.tif 000004
【図４】
0005469442.tif 000005
【図５】
0005469442.tif 000006
【図６】
0005469442.tif 000007
【図７】
0005469442.tif 000008
【図８】
0005469442.tif 000009
【図９】
0005469442.tif 000010
【図１０】
0005469442.tif 000011
【図１１】
0005469442.tif 000012
【図１２】
0005469442.tif 000013
【図１３】
0005469442.tif 000014
【図１４】
0005469442.tif 000015
【図１５】
0005469442.tif 000016
【図１６】
0005469442.tif 000017
【図１７】
0005469442.tif 000018